(57)【要約】【課題】特定入賞装置に固有の遊技情報が特定入賞装置に対応しかつ遊技盤に簡単に設けられる。【解決手段】特定入賞装置３１の装置基盤３３が止ねじ３８によって遊技盤１１の前側から遊技盤１１の前面に取り付けられ、入賞口部３４が装置基盤３３の前面から前側に突出しかつ上方から取り込んだ球を装置基盤３３の後側に排出し、化粧設置部３５は、入賞口部３４の前面から前側に突出した環状のリブ３６で縁取りされ、複数の特定入賞装置の何れにも共通する共通情報の表示された化粧体３７が入賞口部３４の前面の化粧設置部３５に貼付され、情報表示部３２が化粧シート４２の中に埋め込まれ、情報表示部３２が特定入賞装置３１よりも球の流下方向の上流側に離れかつ特定入賞装置３１の近傍に配置され、遊技者がパチンコ遊技機を前側から見た場合に情報表示部３２を前面パネル８を通して視認できる。【選択図】図１
2008093338.tif 000002
【特許請求の範囲】
【請求項１】
特定入賞装置が遊技盤の前面に取り付けられたパチンコ遊技機の遊技盤において、遊技盤が遊技基盤の前面に化粧シートを結合した構造であり、化粧シートが透明な表面パネルと遊技基盤の前面に接着剤で結合するための定着材との間に介在させられる印刷層とを一体に結合した積層体として構成され、印刷層が遊技盤の前側から表面パネルを通して遊技者の視覚に訴えるための絵柄表示部と特定入賞装置に固有の遊技情報を有する情報表示部とを備えた構造であり、情報表示部が特定入賞装置よりも球の流下方向の上流側に離れかつ特定入賞装置の近傍に配置されたことを特徴とするパチンコ遊技機の遊技盤。
【請求項２】
請求項１に記載の情報表示部が特定入賞装置の入賞口を通る鉛直線上に配置されたことを特徴とするパチンコ遊技機の遊技盤。
【発明の詳細な説明】
【技術分野】
【０００１】
本発明は、特定入賞装置に固有の遊技情報が特定入賞装置に対応しかつ遊技盤に簡単に設けられた、パチンコ遊技機の遊技盤に関する。
【背景技術】
【０００２】
図３は、公知のパチンコ遊技機の遊技盤１１の正面を示す。図３において、遊技盤１１の前面のガイドレール１２で囲まれた部分には特定入賞装置５１；５２；５３および可変入賞装置１８が取り付けられ、遊技仕様として、例えば、遊技盤の前面のガイドレールで囲まれた部分を流下する球が特定入賞装置５１または特定入賞装置５３に１個入る都度に可変入賞装置１８の開閉体２０が１回開閉し、また、遊技盤１１の前面のガイドレール１２で囲まれた部分を流下する球が特定入賞装置５２に１個入る都度に開閉体２０が３回開閉するように構成される。このような遊技仕様の場合において、特定入賞装置５１；５２；５３への個々の入賞によって発生する開閉体２０の開閉回数である遊技情報を遊技者に知らせるために、当該遊技情報の表示された情報表示材５４；５５；５６が特定入賞装置５１乃至５３の前面に個別に貼付される。しかしながら、情報表示材５４乃至５６の取付間違いや特定入賞装置５１乃至５３の取付間違いが発生するばかりでなく、遊技仕様の異なる機種に情報表示材５４乃至５６の個別に設けられた特定入賞装置５１乃至５３を用いることができない。また、特許文献１乃至特許文献３で開示されたように、遊技盤の前面を構成する化粧シートに賞球数や機種名を印刷して、遊技盤の前面への入賞装置の取付間違いを防止するものもある。しかしながら、特許文献１乃至特許文献３の場合には、複数の入賞装置の個々に関する遊技情報を遊技者に知らせることができない。また、特許文献４で開示されたように、透明な遊技盤の後側に画像表示装置を設置し、画像表示装置が複数の入賞装置の個々に関する遊技情報を各入賞装置に対応させ個別に表示して、遊技情報を遊技者に知らせるものもある。しかしながら、特許文献４の場合には、画像表示装置の制御が複雑になり過ぎるという欠点がある。上記入賞装置に固有の遊技情報としては、可変入賞装置の開閉回数以外に、当該入賞装置への入賞によって払い出される賞球数の場合もある。
【特許文献１】特開平８−１４１１５５号公報
【特許文献２】特許第３７１２７９２号公報
【特許文献３】特開２００３−３４００５０号公報
【特許文献４】特開２００５−２１３０５号公報
【発明の開示】
【発明が解決しようとする課題】
【０００３】
発明が解決しようとする問題点は、特定入賞装置に固有の遊技情報が特定入賞装置に対応しかつ遊技盤に簡単に設けられないという点である。
【課題を解決するための手段】
【０００４】
本発明に係るパチンコ遊技機の遊技盤は、特定入賞装置が遊技盤の前面に取り付けられたパチンコ遊技機の遊技盤において、遊技盤が遊技基盤の前面に化粧シートを結合した構造であり、化粧シートが透明な表面パネルと遊技基盤の前面に接着剤で結合するための定着材との間に介在させられる印刷層とを一体に結合した積層体として構成され、印刷層が遊技盤の前側から表面パネルを通して遊技者の視覚に訴えるための絵柄表示部と特定入賞装置に固有の遊技情報を有する情報表示部とを備えた構造であり、情報表示部が特定入賞装置よりも球の流下方向の上流側に離れかつ特定入賞装置の近傍に配置されたことを最も主要な特徴とする。情報表示部が特定入賞装置の入賞口を通る鉛直線上に配置されてもよい。
【発明の効果】
【０００５】
本発明に係るパチンコ遊技機の遊技盤は、情報表示部が化粧シートの中に埋め込まれ、情報表示部が特定入賞装置よりも球の流下方向の上流側に離れかつ特定入賞装置の近傍に配置されたことによって、従来のような情報表示材の取付間違いや特定入賞装置の取付間違いを防止でき、特定入賞装置を遊技仕様の異なる機種に共通に用いることができ、従来のような画像表示装置の制御が複雑になることもなく、特定入賞装置への入賞によって発生する遊技情報を遊技者に知らせることができるという利点がある。情報表示部が特定入賞装置の入賞口を通る鉛直線上に配置されれば、情報表示部および特定入賞装置が複数存在しても、情報表示部に表示された遊技情報が特定入賞装置のどれに対応するものであるのかを、遊技者が適切に把握することができるという利点がある。
【発明を実施するための最良の形態】
【０００６】
図１および図２は、発明を実施するための最良の形態である。図１のａ図は、特定入賞装置３１と情報表示部３２との周りにおける遊技盤１１の正面を示す。図１のｂ図は、図１のａ図のＡ−Ａ線に沿ってパチンコ遊技機を切断した断面を示す、図２は、パチンコ遊技機を示す。本明細書において、「前」、「表」、「後」、「裏」、「左」、「右」、「上」、「下」の方向は、図２の状態に遊技機枠１および遊技盤１１を置いて図２の紙面の前側から見た場合に特定される方向である。「前」および「表」は、同じ方向である。「後」および「裏」は、同じ方向である。
【０００７】
図２を参照し、パチンコ遊技機について説明する。パチンコ遊技機は、遊技機枠１の内部に遊技盤１１を交換可能に格納した形態である。遊技機枠１は、固定枠２の前側に可動枠３を開閉可能に備え、可動枠３の前側に前扉４および皿構造体５を開閉可能に備える。固定枠２は、遊技機設置構造体に取り付けるための外枠とも呼ばれる。遊技機設置構造体は、遊技店のパチンコ遊技機を設置する島とも呼ばれる設備である。可動枠３は、球発射機構６、遊技盤１１、図外の球払出機構など遊技に必要な装置を取り付ける前枠とも呼ばれる。前扉４は、パネル枠とも呼ばれ、前後方向に貫通する窓７を備える。窓７は、前面パネル８で塞がれる。前面パネル８は、光透過性の有る無色なガラスのような板状の透明体により構成され、前扉４の後面に設けられる。皿構造体５の前面には、球受皿部９および球発射操作機構１０が設けられる。
【０００８】
遊技盤１１は、ガイドレール１２、球発射通路１３、一般入賞装置１４、特定入賞装置１５、可変入賞装置１８、アウト口１９、図外の遊技釘などを備える。ガイドレール１２は、遊技盤１１の前面に固定される。球発射通路１３は、球発射機構６から発射された球を遊技盤１１の前面のガイドレール１２で囲まれた部分の上部に排出する。一般入賞装置１４、特定入賞装置１５；１６；１７、可変入賞装置１８、アウト口１９、図外の遊技釘などは、遊技盤１１の前面のガイドレール１２で囲まれた部分に設けられる。
【０００９】
可変入賞装置１８の前部には、開閉体２０が設けられる。開閉体２０は、可変入賞装置１８の後部に設けられた駆動機構２１によって開閉される。開閉体２０が開放されることによって、可変入賞装置１８が遊技盤１１の前面から球を取り入れることが可能になる。開閉体２０が閉鎖されることによって、可変入賞装置１８が遊技盤１１の前面から球を取り入れることが不可能になる。特定入賞装置１５または遊技盤１１の後部には、特定入賞装置１５に対応する球検出器２２が設けられる。特定入賞装置１６または遊技盤１１の後部には、特定入賞装置１６に対応する球検出器２３が設けられる。特定入賞装置１７または遊技盤１１の後部には、特定入賞装置１７に対応する球検出器２４が設けられる。遊技盤１１の後部または可動枠３の後部には制御装置２５が設けられる。
【００１０】
遊技盤１１が可動枠３に装着され、前扉４が閉じられて可動枠３に支持された場合、遊技領域２６が前面パネル８と遊技盤１１およびガイドレール１２で囲まれた空間として構成され、開閉体２０が閉じており、ガイドレール１２と球発射通路１３と一般入賞装置１４と特定入賞装置１５乃至１７と可変入賞装置１８とアウト口１９と図外の遊技釘および遊技領域２６が遊技機枠１の前側から窓７および前面パネル８を経由して視認される。その状態において、遊技者が球受皿部９にパチンコ球と呼ばれる球を入れ、遊技者が球発射操作機構１０を右回りに操作すると、球発射機構６が球発射操作機構１０の操作量に応じた発射力で駆動し、球発射機構６が球受皿部９から遊技機枠１の内部に取り込まれた球を１個ずつ球発射通路１３に向けて発射する。
【００１１】
球発射通路１３に発射された球は、球発射通路１３から遊技領域２６の上部に到達する。遊技領域２６に到達した球は、遊技領域２６を流下する過程において、一般入賞装置１４、特定入賞装置１５乃至１７、可変入賞装置１６などに衝突して、流れる方向を変えながら、一般入賞装置１４や特定入賞装置１５乃至１７の何れか１つに入って遊技盤１１の後側に排出される。一般入賞装置１４や特定入賞装置１５乃至１７の何れにも入らないで、遊技領域２６の最下部に到達した球は、アウト口１９から遊技盤１１の後側に排出される。
【００１２】
特定入賞装置１５は、遊技盤１１の前面から球が一個入ることによって、可変入賞装置１８の開閉体２０を１回開閉させる、入賞装置を構成する。特定入賞装置１６は、遊技盤１１の前面から球が一個入ることによって、可変入賞装置１８の開閉体２０を３回開閉させる、入賞装置を構成する。特定入賞装置１７は、遊技盤１１の前面から球が一個入ることによって、可変入賞装置１８の開閉体２０を１回開閉させる、入賞装置を構成する。
【００１３】
具体的には、球検出器２２が特定入賞装置１５に入賞した球を検出した電気的な入賞信号を制御装置２５に出力すると、制御装置２５が開閉体２０を１回開閉するように駆動機構２１を制御する。球検出器２３が特定入賞装置１６に入賞した球を検出した電気的な入賞信号を制御装置２５に出力すると、制御装置２５が開閉体２０を３回開閉するように駆動機構２１を制御する。球検出器２４が特定入賞装置１７に入賞した球を検出した電気的な入賞信号を制御装置２５に出力すると、制御装置２５が開閉体２０を１回開閉するように駆動機構２１を制御する。
【００１４】
遊技盤１１の前面のガイドレール１２で囲まれた部分には、情報表示部２７；２８；２９が設けられる。情報表示部２７は、特定入賞装置１５に対応する固有のものであって、特定入賞装置１５への球の入賞によって、例えば「１  ｏｐｅｎ」など、開閉体２０が開閉する開閉回数としての遊技情報を表示し、特定入賞装置１５よりも球の流下方向の上流側に離れかつ特定入賞装置１５の近傍で、特定入賞装置１５の入賞口を通る鉛直線上に配置される。情報表示部２８は、特定入賞装置１６に対応する固有のものであって、特定入賞装置１６への球の入賞によって、例えば「３  ｏｐｅｎ」など、開閉体２０が開閉する開閉回数としての遊技情報を表示し、特定入賞装置１６よりも球の流下方向の上流側に離れかつ特定入賞装置１６の近傍で、特定入賞装置１６の入賞口を通る鉛直線上に配置される。情報表示部２９は、特定入賞装置１７に対応する固有のものであって、特定入賞装置１７への球の入賞によって、例えば「１  ｏｐｅｎ」など、開閉体２０が開閉する開閉回数としての遊技情報を表示し、特定入賞装置１７よりも球の流下方向の上流側に離れかつ特定入賞装置１７の近傍で、特定入賞装置１７の入賞口を通る鉛直線上に配置される。
【００１５】
図２における結合子Ａ；Ｂ；Ｃは、同一の符号どうしが互いに接続される。
【００１６】
図１を参照し、特定入賞装置３１と情報表示部３２とについて説明する。特定入賞装置３１は、図２の特定入賞装置１５乃至１７の何れか１つに相当する。情報表示部３２は、図２の情報表示部２７乃至２９の何れか１つに相当する。
【００１７】
図１のａ図に示すように、特定入賞装置３１は、装置基盤３３と入賞口部３４と化粧設置部３５とリブ３６および化粧体３７を備える。装置基盤３３は、止ねじ３８によって遊技盤１１の前側から遊技盤１１の前面に取り付けられ、遊技盤１１の前面に接触する。入賞口部３４は、装置基盤３３の前面から前側に突出し、上方から球を取り込み、取り込んだ球を装置基盤３３の後側に排出する。化粧設置部３５は、入賞口部３４の前面から前側に突出した環状のリブ３６で縁取りされ、入賞口部３４の前面として構成される。化粧体３７は、例えば「ＧＯ」など、図２の特定入賞装置１５乃至１７の何れにも共通する共通情報の表示されたシールにより構成され、化粧設置部３５に貼付される。化粧体３７の共通情報は、図１のａ図において、「○△□」で図示されている。遊技盤１１は、方形な遊技基盤４１の前面に方形な化粧シート４２を備える。化粧シート４２の構造については、図１のｂ図で後述する。
【００１８】
図１のｂ図において、化粧シート４２は、表面パネル４３、印刷層４４、接着層４５、定着材４６の積み重ねられた積層体として構成される。表面パネル４３は、光透過性の有る無色な合成樹脂のような板状に構成される。印刷層４４は、表面パネル４３の後面に印刷されるものであって、情報表示部３２と絵柄表示部４７とから構成される。絵柄表示部４７および情報表示部３２は、例えば、多色摺り印刷で、表面パネル４３の後面に並んで設けられる。接着層４５は、印刷層４４の後面に、定着材４６を貼り付ける。定着材４６は、白色のケント紙などで構成される。表面パネル４３の後面、印刷層４４の後面は、遊技基盤４１の側の面である。化粧シート４２の定着材４６は、遊技基盤４１の前面に接着剤４８で結合される。遊技基盤４１の前面は、化粧シート４２の側の面である。
【００１９】
遊技基盤４１と化粧シート４２とが接着剤４８で互いに結合されることによって、遊技盤１１が構成される。遊技基盤４１と化粧シート４２および接着剤４８からなる遊技盤１１には、逃避孔４９が、前後方向への貫通孔として形成される。装置基盤３３の後面には、球通路部５０が設けられる。球通路部５０は、入賞口部３４に取り込まれた球を遊技盤１１の後側に誘導しかつ排出する。特定入賞装置３１が遊技盤１１に取り付けられる場合、球通路部５０が遊技盤１１の前側から逃避孔４９に挿入され、装置基盤３３の後面が遊技盤１１の前面である表面パネル４３の前面に接触する。前面パネル８とリブ３６との間の隙間は、遊技領域２６を流下する球が入り込めない寸法になっている。
【００２０】
最良の形態によれば、図１のａ図または図２に示すように、情報表示部２７乃至２９；３２が、特定入賞装置１５乃至１７；３１よりも球の流下方向の上流側に離れかつ特定入賞装置１５乃至１７；３１の近傍に配置されている。よって、従来のような情報表示材５４乃至５６の取付間違いや特定入賞装置１５乃至１７；３１の取付間違いを防止でき、特定入賞装置１５乃至１７；３１を遊技仕様の異なる機種に共通に用いることができ、従来のような画像表示装置の制御が複雑になることもなく、特定入賞装置１５乃至１７；３１への入賞によって発生する遊技情報を遊技者に知らせることができるという利点がある。情報表示部２７乃至２９；３２が、特定入賞装置１５乃至１７；３１の入賞口を通る鉛直線上に配置されているので、情報表示部２７乃至２９；３２に表示された遊技情報が特定入賞装置１５乃至１７；３１のどれに対応するものであるのかを、遊技者が自然に把握することができるという利点がある。
【００２１】
図１のｂ図に示すように、透明な表面パネル４３と定着材４６との間に、情報表示部３２と絵柄表示部４７とが互いに表面パネル４３の後面と平行な方向に並んで設けられたので、情報表示部３２と絵柄表示部４７とが化粧シート４２の中に埋め込まれたようになり、化粧シート４２の表面パネル４３の前面から定着材４６の後面までの厚さが一様に構成されるという利点がある。
【産業上の利用可能性】
【００２２】
特定入賞装置１５乃至１７；３１に固有の情報表示部２７乃至２９；３２としては、可変入賞装置１８における開閉体２０の開閉回数以外に、特定入賞装置１５乃至１７；３１への入賞によって払い出される賞球数であってもよい。
【００２３】
情報表示部２７乃至２９；３０に付される遊技情報としては、「ｏｐｅｎ」に置換し、「ｓｈｏｏｔ」、「開」、「チャンス」などでもよい。
【図面の簡単な説明】
【００２４】
【図１】ａ図は特定入賞装置と情報表示部との周りにおける遊技盤の正面図、ｂ図は、図１のａ図のＡ−Ａ線断面図に相当するパチンコ遊技機の断面図（最良の形態）。
【図２】パチンコ遊技機の模式図（最良の形態）。
【図３】遊技盤の正面図（従来）。
【符号の説明】
【００２５】
１は遊技機枠、２は固定枠、３は可動枠、４は前扉、５は皿構造体、６は球発射機構、７は窓、８は前面パネル、９は球受皿部、１０は球発射操作機構、１１は遊技盤、１２はガイドレール、１３は球発射通路、１４は一般入賞装置、１５は特定入賞装置、１６は特定入賞装置、１７は特定入賞装置、１８は可変入賞装置、１９はアウト口、２０は開閉体、２１は駆動機構、２２は球検出器、２３は球検出器、２４は球検出器、２５は制御装置、２６は遊技領域、２７は情報表示部、２８は情報表示部、２９は遊技情報、３０は欠番、３１は特定入賞装置、３２は情報表示部、３３は装置基盤、３４は入賞口部、３５は化粧設置部、３６はリブ、３７は化粧体、３８は止ねじ、３９；４０は欠番、４１は遊技基盤、４２は化粧シート、４３は表面パネル、４４は印刷層、４５は接着層、４６は定着材、４７は絵柄表示部、４８は接着剤、４９は逃避孔、５０は球通路部、５１は特定入賞装置、５２は特定入賞装置、５３は特定入賞装置、５４は情報表示材、５５は情報表示材、５６は情報表示材、Ａは結合子、Ｂは結合子、Ｃは結合子。
【図１】
2008093338.tif 000003
【図２】
2008093338.tif 000004
【図３】
2008093338.tif 000005